(57)【要約】【課題】被施術者に対する施術中における施術者の目に与える負担を最小限に抑えることでき、さらには、オペシーンに応じた最適な照明を施術室に供給することが可能な医療用照明システム及び照明方法を提供する。【解決手段】施術部位を照らす医療用照明灯１０と、室内空間を照らす室内照明装置２０とを備える医療用照明システム１である。医療用照明灯１０は、第１の色温度を有する光を照射可能に構成されている。室内照明装置２０は、第１の色温度を基準として＋１０００Ｋ〜−１０００Ｋの範囲に属する第２の色温度を含む、異なる色温度を有する複数の光を照射可能に構成されている。【選択図】図３
2014220169.tif 000002
【特許請求の範囲】
【請求項１】
施術部位を照らす医療用照明灯と、室内空間を照らす室内照明装置とを備える医療用照明システムであって、
前記医療用照明灯は、第１の色温度を有する光を照射可能に構成されており、
前記室内照明装置は、前記第１の色温度を基準として＋１０００Ｋ〜−１０００Ｋの範囲に属する第２の色温度を含む、異なる色温度を有する複数の光を照射可能に構成されている
ことを特徴とする医療用照明システム。
【請求項２】
前記室内照明装置が照射する光の切り替え要求を受け付ける切替要求受付手段と、
前記切替要求受付手段が受け付けた切り替え要求に応じて、前記室内照明装置が照射する光を切り替える照明切替手段とを更に備える
ことを特徴とする請求項１に記載の医療用照明システム。
【請求項３】
前記室内照明装置は、２０００Ｋ〜３５００Ｋの範囲に属する第３の色温度を有する光を照射可能に構成されている
ことを特徴とする請求項１又は２に記載の医療用照明システム。
【請求項４】
前記室内照明装置は、５０００Ｋ〜６５００Ｋの範囲に属する第４の色温度を有する光を照射可能に構成されている
ことを特徴とする請求項１〜３いずれか１項に記載の医療用照明システム。
【請求項５】
前記第２の色温度は、前記第１の色温度を基準として＋５００Ｋ〜−５００Ｋの範囲に属する色温度である
ことを特徴とする請求項１〜４いずれか１項に記載の医療用照明システム。
【請求項６】
前記第２の色温度は、４０００Ｋ〜５０００Ｋの範囲に属する色温度である
ことを特徴とする請求項１〜５いずれか１項に記載の医療用照明システム。
【請求項７】
被施術者に対する施術を行う室内に光を供給する照明方法であって、
被施術者に対する施術時期に、第１の色温度を有する光によって施術部位を照射すると共に、前記第１の色温度を基準として＋１０００Ｋ〜−１０００Ｋの範囲に属する第２の色温度を有する光によって室内空間を照射し、
被施術者に対する施術時期以外の時期に、前記第２の色温度とは異なる色温度を有する光によって室内空間を照射する
ことを特徴とする照明方法。
【請求項８】
前記被施術者に対する施術時期以外の時期は、室内への被施術者の入出時期及び室内からの被施術者の退出時期の少なくとも１つの時期を含み、
室内への被施術者の入出時期及び室内からの被施術者の退出時期の少なくとも１つの時期において、２０００Ｋ〜３５００Ｋの範囲に属する第３の色温度を有する光によって室内空間を照射する
ことを特徴とする請求項７に記載の照明方法。
【請求項９】
前記被施術者に対する施術時期以外の時期は、室内への被施術者の入出前及び室内からの被施術者の退出後の少なくとも１つの時期を含み、
室内への被施術者の入出前及び室内からの被施術者の退出後の少なくとも１つの時期において、５０００Ｋ〜６５００Ｋの範囲に属する第４の色温度を有する光によって室内空間を照射する
ことを特徴とする請求項７又は８に記載の照明方法。
【請求項１０】
前記第２の色温度は、前記第１の色温度を基準として＋５００Ｋ〜−５００Ｋの範囲に属する色温度である
ことを特徴とする請求項７〜９いずれか１項に記載の照明方法。
【請求項１１】
前記第２の色温度は、４０００Ｋ〜５０００Ｋの範囲に属する色温度である
ことを特徴とする請求項７〜１０いずれか１項に記載の照明方法。
【発明の詳細な説明】
【技術分野】
【０００１】
本発明は、手術室等の医療空間に用いられる医療用照明システム及び医療空間を照明する照明方法に関するものである。
【背景技術】
【０００２】
従来、病院・診療所の手術室、処置室、診察室、分娩室など（以下、総称して「施術室」という）に設置され、患者の施術する患部を照明する医療用照明装置として、複数の照明による照光を施術する患部において重ね合わせることにより、施術する患部に施術者やその助手の影が生じないようにする医療用無影照明灯や医療用処置照明灯（以下、総称して「医療用照明灯」という）が用いられている（特許文献１〜４）。この医療用照明灯は、一般的に、約２６００〜６５００Ｋ（ケルビン）の色温度を有する光で、患者の施術する患部を照射するよう構成されている。
【先行技術文献】
【特許文献】
【０００３】
【特許文献１】特開平０９−１５４８５２号公報
【特許文献２】特開２００２−２０３４０６号公報
【特許文献３】特開２０１２−８１０５７号公報
【特許文献４】特開２０１２−８１０５８号公報
【発明の概要】
【発明が解決しようとする課題】
【０００４】
しかしながら、従来の施術室の照明設備では、医療用照明灯による照明の色温度と、施術室全体を照らす室内照明装置による照明の色温度との間に差が生じていたため、特に長時間の手術において、施術者の目に大きな負担がかかるという問題がある。
【０００５】
そこで、本発明は、被施術者に対する施術中における施術者の目に与える負担を最小限に抑えることができ、さらには、オペシーンに応じた最適な照明を施術室に供給することが可能な医療用照明システム及び照明方法を提供することを目的とする。
【課題を解決するための手段】
【０００６】
上記の目的を達成するため、本発明に係る医療用照明システムは、施術部位を照らす医療用照明灯と、室内空間を照らす室内照明装置とを備える医療用照明システムであって、前記医療用照明灯は、第１の色温度を有する光を照射可能に構成されており、前記室内照明装置は、前記第１の色温度を基準として＋１０００Ｋ〜−１０００Ｋの範囲に属する第２の色温度を含む、異なる色温度を有する複数の光を照射可能に構成されていることを特徴とする。この第２の色温度は、前記第１の色温度を基準として＋５００Ｋ〜−５００Ｋの範囲に属する色温度であることが好ましく、また、４０００Ｋ〜５０００Ｋの範囲に属する色温度であることが好ましい。
【０００７】
本発明に係る医療用照明システムは、前記室内照明装置が照射する光の切り替え要求を受け付ける切替要求受付手段と、前記切替要求受付手段が受け付けた切り替え要求に応じて、前記室内照明装置が照射する光を切り替える照明切替手段とを更に備えることが好ましい。
【０００８】
また、本発明に係る医療用照明システムにおいて、前記室内照明装置は、２０００Ｋ〜３５００Ｋの範囲に属する第３の色温度を有する光、及び／又は、５０００Ｋ〜６５００Ｋの範囲に属する第４の色温度を有する光を照射可能に構成されていることが好ましい。
【０００９】
また、本発明に係る照明方法は、被施術者に対する施術を行う室内に光を供給する照明方法であって、被施術者に対する施術時期に、第１の色温度を有する光によって施術部位を照射すると共に、前記第１の色温度を基準として＋１０００Ｋ〜−１０００Ｋの範囲に属する第２の色温度を有する光によって室内空間を照射し、被施術者に対する施術時期以外の時期に、前記第２の色温度とは異なる色温度を有する光によって室内空間を照射することを特徴とする。この第２の色温度は、前記第１の色温度を基準として＋５００Ｋ〜−５００Ｋの範囲に属する色温度であることが好ましく、また、４０００Ｋ〜５０００Ｋの範囲に属する色温度であることが好ましい。
【００１０】
本発明に係る照明方法において、前記被施術者に対する施術時期以外の時期は、室内への被施術者の入出時期及び室内からの被施術者の退出時期の少なくとも１つの時期を含み、室内への被施術者の入出時期及び室内からの被施術者の退出時期の少なくとも１つの時期において、２０００Ｋ〜３５００Ｋの範囲に属する第３の色温度を有する光によって室内空間を照射する工程を更に含むことが好ましい。ここで、室内への被施術者の入出時期とは、被施術者の室内（施術室）への入出時から被施術者への施術開始時までの間の時期をいい、室内からの被施術者の退出時期とは、被施術者への施術終了時から被施術者の室内（施術室）からの退出時までの時期をいうものとすることができる。これら入出時期及び退出時期の両時期は、より限定的には、施術室内に被施術者がおり、かつ、施術前又は施術後において被施術者の意識がある時期をいうものとすることもできる。
【００１１】
また、本発明に係る照明方法において、前記被施術者に対する施術時期以外の時期は、室内への被施術者の入出前及び室内からの被施術者の退出後の少なくとも１つの時期を含み、室内への被施術者の入出前及び室内からの被施術者の退出後の少なくとも１つの時期において、５０００Ｋ〜６５００Ｋの範囲に属する第４の色温度を有する光によって室内空間を照射する工程を更に含むことが好ましい。
【発明の効果】
【００１２】
本発明によれば、被施術者に対する施術中における施術者の目に与える負担を最小限に抑えることができ、さらには、オペシーンに応じた最適な照明を施術室に供給することが可能な医療用照明システム及び照明方法を提供することができる。
【図面の簡単な説明】
【００１３】
【図１】本発明の第１実施形態に係る医療用照明システムを配備した施術室（手術室）の一例を示す概略図である。
【図２】第１実施形態に係る医療用照明システムの配備位置の一例を示す概略図である。
【図３】第１実施形態に係る医療用照明システムのシステム構成を示すブロック図である。
【図４】第１実施形態における無影照明灯の概略構成を示す拡大図である。
【図５】第１実施形態における室内照明装置の概略構成を示す斜視図である。
【図６】第１実施形態における室内照明装置の光源の配置を示す概略図である。
【図７】第１実施形態におけるタッチパネルの表示画面の一例を示す概略図である。
【図８】第１実施形態におけるタッチパネルの表示画面の一例を示す概略図である。
【図９】第２実施形態に係る医療用照明システムのシステム構成を示すブロック図である。
【図１０】第３実施形態におけるタッチパネルの表示画面の一例を示す概略図である。
【図１１】第３実施形態に係る照明方法を示すフローチャートである。
【発明を実施するための形態】
【００１４】
［第１実施形態］
次に、本発明の第１実施形態に係る医療用照明システムについて、図１〜図８に基づいて説明する。第１実施形態に係る医療用照明システム１は、図１〜図３に示すように、施術室の天井に備え付けられた無影照明灯１０、室内照明装置２０及びダウンライト３０と、これら無影照明灯１０、室内照明装置２０及びダウンライト３０の照明制御を行うための切替要求受付手段４０及び照明切替手段５０Ａ〜５０Ｃとを備えている。
【００１５】
無影照明灯１０は、施術台（手術台）２上の被施術者の施術部位を照射するための医療用照明装置であり、例えば図１及び図２に示すように、無影灯本体１２と、無影灯本体１２を水平方向及び垂直方向に移動可能に支持する多関節アーム１４とを備えている。
【００１６】
無影灯本体１２は、図４に示すように、対象物（施術部位）に対して光を照射可能な複数（例えば６つ）の照明部１８と、内視鏡手術時の補助灯として機能する複数（例えば３つ）のアンビエントライト１７と、これら照明部１８及びアンビエントライト１７を支持する外縁が六角形状のハウジング１６とを備えている。各照明部１８は、それぞれ、ハウジング１６内においてバランスの良い対称性を有する配置で、かつそれぞれの中心軸とハウジング１６の中心軸とが施術部位において一点に収束するように、それぞれハウジング１６の中心に向かって傾斜して設けられている。このように照明部１８が配置されることにより、複数の照明部１８による照明の光野を施術部位の位置で重ね合わせて、施術部位上に一つの光野を形成することができる。この無影灯本体１２による照明の照度は、施術台から１ｍ上方の位置で１０万ルクス以上であることが好ましい。また、無影灯本体１２は、周知の方法により、照明の照度及び光野径の調整が可能に構成されている。
【００１７】
各照明部１８は、図３及び図４に示すように、それぞれ、２６００Ｋ〜６５００Ｋの範囲に属する色温度、好ましくは３５００〜６０００Ｋの範囲に属する色温度、更に好ましくは４０００Ｋ〜５０００Ｋの範囲に属する色温度、更に好ましくは４０００Ｋ〜４５００Ｋの範囲に属する色温度、特に好ましくは４２００Ｋの色温度の光を発光可能な第１光源１９を１つ又は複数備えている。なお、本実施形態において、無影照明灯１０が照射する光の色温度は、施術台から１ｍ上方の位置において測定した数値であるとすることができ、また、その測定は、ＪＩＳ−Ｚ  ８７２５に規定された方法により行うことができる。第１光源１９としては、例えばハロゲンランプなどの白熱電球、蛍光灯、キセノンランプ、水銀灯、有機ＥＬ及び比較的に発熱量が小さく高輝度な青色ＬＥＤ等の種々のものを用いることもできる。また、アンビエントライト１７の光源１７Ａも同様に、種々のものを用いることができる。
【００１８】
無影照明灯１０は、無影照明灯用照明切替手段５０Ａと接続されており、無影照明灯用照明切替手段５０Ａの制御部５４Ａにより、アンビエントライト１７及び各照明部１８の第１光源１９の点灯状態及び消灯状態の切替制御や、照度調整制御及び光野径調整制御等の各種制御が実行されるように構成されている。
【００１９】
室内照明装置２０は、施術室の室内空間全体を照らすための天井埋め込み型のスクエア照明装置であり、例えば図１及び図２に示すように、施術台２及びクリーンエア空調部４が位置する空間領域を取り囲むように、施術室の天井に複数、本実施形態では１０個配置されている。
【００２０】
各室内照明装置２０は、図５及び図６に示すように、施術室の天井に埋設可能に構成された矩形筒状のハウジング２２と、ハウジング２２の下端開口を覆うように設けられたカバー２３と、ハウジング２２内に設けられた複数の照明モジュール２４とを備えている。
【００２１】
各照明モジュール２４は、それぞれ、異なる色温度を有する光を発光可能な第２光源２５、第３光源２６及び第４光源２７を複数備えている。これら第２光源２５、第３光源２６及び第４光源２７は、各照明モジュール２４内において、横方向（図６中のＹ方向）及び縦方向（図６中のＸ方向）に順々に配置されている。なお、第２光源２５、第３光源２６及び第４光源２７の配置順及び配置数は、これに限定されるものではなく、任意の配置順及び配置数とすることができる。また、本実施形態において、室内照明装置２０が照射する光の色温度は、床上１ｍの位置において測定した数値であるとすることができ、また、その測定は、ＪＩＳ−Ｚ  ８７２５に規定された方法により行うことができる。
【００２２】
第２光源２５は、無影照明灯１０に用いられた第１光源１９の色温度を基準として、＋１０００Ｋ〜−１０００Ｋの範囲に属する色温度、好ましくは＋５００Ｋ〜−５００Ｋの範囲に属する色温度、更に好ましくは＋２５０Ｋ〜−２５０Ｋの範囲に属する色温度、特に好ましくは第１光源１９の色温度と同一の色温度の光を発光可能な光源である。このような第２光源２５としては、２６００Ｋ〜６５００Ｋの範囲に属する色温度、好ましくは３５００〜６０００Ｋの範囲に属する色温度、更に好ましくは４０００Ｋ〜５０００Ｋの範囲に属する色温度、更に好ましくは４０００Ｋ〜４５００Ｋの範囲に属する色温度、特に好ましくは４２００Ｋの色温度の光を発光可能な光源を用いることができる。この第２光源２５は、無影照明灯１０に用いられた第１光源１９と同一のものを用いても良い。
【００２３】
第３光源２６は、暖色系の色温度、すなわち、２０００Ｋ〜３５００Ｋの範囲に属する色温度、好ましくは２５００Ｋ〜３５００Ｋの範囲に属する色温度、更に好ましくは３０００Ｋ〜３５００Ｋの範囲に属する色温度、特に好ましくは３０００Ｋの色温度の光を発光可能な光源である。色温度が２０００Ｋを下回る場合には、光の赤みが強く出過ぎてしまうため好ましくなく、また、色温度が３５００Ｋを超える場合には、暖色系の色温度ではなくなるため好ましくない。
【００２４】
第４光源２７は、日中の太陽光線の色温度と概ね同程度の自然な色温度、すなわち、５０００Ｋ〜６５００Ｋの範囲に属する色温度、好ましくは５０００Ｋの色温度の光を発光可能な光源である。色温度が６５００Ｋを超える場合には、寒色系の色温度となり、目に対する刺激が強くなるため好ましくない。
【００２５】
これら第２光源２５、第３光源２６及び第４光源２７としては、例えばハロゲンランプなどの白熱電球、蛍光灯、キセノンランプ、水銀灯、有機ＥＬ及び比較的に発熱量が小さく高輝度な青色ＬＥＤ等の種々のものを用いることもできる。
【００２６】
各室内照明装置２０は、それぞれ、周知の方法により、照明の照度の調整が可能に構成されている。第２光源２５を用いた室内照明装置２０による照明の照度は、床上１ｍの位置で２００〜５０００ルクス程度、特に１０００ルクス程度であることが好ましく、第３光源２６又は第４光源２７を用いた室内照明装置２０による照明の照度は、床上１ｍの位置で１００〜１０００ルクス程度であることが好ましい。
【００２７】
また、各室内照明装置２０は、それぞれ、図３に示すように、室内照明装置用照明切替手段５０Ｂと接続されており、室内照明装置用照明切替手段５０Ｂの制御部５４Ｂにより、第２光源２５、第３光源２６及び第４光源２７の点灯状態及び消灯状態の切替制御や、照度調整制御等の各種制御が実行されるように構成されている。
【００２８】
ダウンライト３０は、内視鏡手術に用いられるモニター８が設置された局所的な空間を照らすための天井埋め込み型の円形照明装置であり、例えば図１及び図２に示すように、施術室の一の壁面６に沿って３つ並べて配置されている。各ダウンライト３０は、図３に示すように、青色若しくは緑色又は施術者が希望する任意色の光を発光可能なダウンライト用光源３２を備えている。また、各ダウンライト３０は、それぞれ、周知の方法により、照明の照度の調整が可能に構成されている。
【００２９】
各ダウンライト３０は、それぞれ、図３に示すように、ダウンライト用照明切替手段５０Ｃと接続されており、ダウンライト用照明切替手段５０Ｃの制御部５４Ｃにより、ダウンライト用光源３２の点灯状態及び消灯状態の切替制御や、照度調整制御等の各種制御が実行されるように構成されている。
【００３０】
切替要求受付手段４０は、図１〜図３に示すように、操作者からの操作（照明状態切替要求）を受け付けるタッチパネル４２と、操作者からの操作内容に基づいて照明切替手段５０Ａ〜５０Ｃに切替要求を出力する切替要求送信部４４と、これらタッチパネル４２及び切替要求送信部４４を制御する制御部４６と、制御部４６に所定の処理を実行させるためのプログラム４７が格納された記憶部４８とを備えている。また、切替要求受付手段４０は、タッチパネル４２に表示される操作ボタンと同様の操作が可能な壁面埋め込み型操作パネル（図示せず）を備えている。この壁面埋め込み型操作パネルは、タッチパネル４２に表示される操作ボタンと併用することができ、また、タッチパネル４２が破損した際に用いられる補助操作パネルとして用いることもできる。
【００３１】
タッチパネル４２は、表示画面を指やペンで直接タッチすることにより入力操作を可能にした表示装置であり、制御部４６による制御に基づいて、無影照明灯１０、室内照明装置２０及びダウンライト３０の照明状態を変更させるための操作画面１００，１０１を表示画面上に表示すると共に、操作者からの入力操作を受け付けるように構成されている。
【００３２】
この操作画面１００には、例えば図７に示すように、室内照明装置２０の照明モードを変更させるための「清掃・準備」ボタン１０２、「患者入退室」ボタン１０４、「通常手術」ボタン１０６及び「内視鏡手術」ボタン１０８と、室内照明装置２０を消灯させるための「消灯」ボタン１１０と、無影照明灯用の操作画面へ移行するための「無影照明灯操作画面」ボタン１１２と、ダウンライト３０の照明状態を変更させるための「ダウンライトＯＮ／ＯＦＦ」ボタン１１４とが設けられている。また、操作画面１００には、室内照明装置２０の照度を調整するための照度調整ボタン（図示せず）及びダウンライト３０の照度を調整するための照度調整ボタン（図示せず）が設けられている。
【００３３】
「清掃・準備」ボタン１０２は、室内照明装置２０による照明を５０００Ｋ〜６５００Ｋの範囲に属する色温度の照明に変更させ、施術室の室内空間を比較的色温度が高い光空間とするためのボタンである。具体的には、「清掃・準備」ボタン１０２は、室内照明装置２０の第４光源２７を点灯させ、第２光源２５及び第３光源２６を消灯させるためのボタンである。
【００３４】
「患者入退室」ボタン１０４は、室内照明装置２０による照明を２０００Ｋ〜３５００Ｋの範囲に属する色温度の照明に変更させ、施術室の室内空間を穏やかな暖色系の光空間とするためのボタンである。具体的には、「患者入退室」ボタン１０４は、室内照明装置２０の第３光源２６を点灯させ、第２光源２５及び第４光源２７を消灯させるためのボタンである。
【００３５】
「通常手術」ボタン１０６は、無影照明灯１０の照明の色温度と室内照明装置２０の照明の色温度との差が１０００Ｋ以内、好ましくは５００Ｋ以内に収まるように室内照明装置２０による照明を変更させ、施術室の室内空間を無影照明灯１０と概ね同じ色温度の光空間とするためのボタンである。具体的には、「通常手術」ボタン１０６は、室内照明装置２０の第２光源２５を点灯させ、第３光源２６及び第４光源２７を消灯させるためのボタンである。ここで、通常手術とは、無影照明灯１０の各照明部１８を用いる手術をいうものとする。
【００３６】
「内視鏡手術」ボタン１０８は、施術室全体を薄暗くするためのボタンである。具体的には、「内視鏡手術」ボタン１０８は、施術室全体が薄暗く照らされる程度の低い照度で室内照明装置２０の第２光源２５を点灯させ、第３光源２６及び第４光源２７を消灯させるためのボタンである。ここで、内視鏡手術とは、無影照明灯１０の各照明部１８を使用しない手術をいうものとする。
【００３７】
「消灯」ボタン１１０は、室内照明装置２０の第２光源２５、第３光源２６及び第４光源２７の全てを消灯させるためのボタンである。
【００３８】
「ダウンライトＯＮ／ＯＦＦ」ボタン１１４は、ダウンライト３０の点灯状態と消灯状態とを切り替えるためのボタンである。具体的には、「ダウンライトＯＮ／ＯＦＦ」ボタン１１４は、ダウンライト３０のダウンライト用光源３２が点灯状態である場合には、ダウンライト用光源３２を消灯させ、ダウンライト用光源３２が消灯状態である場合には、ダウンライト用光源３２を点灯させるためのボタンである。
【００３９】
「無影照明灯操作画面」ボタン１１２は、無影照明灯用の操作画面へ移行するためのボタンである。この「無影照明灯操作画面」ボタン１１２が押下されると、タッチパネル４２の表示画面上に、図７に示す操作画面１００に代えて、図８に示す無影照明灯１０用の操作画面（無影照明灯操作画面）１０１が表示される。
【００４０】
この無影照明灯操作画面１０１には、例えば図８に示すように、無影照明灯１０の照度を調整するための照度調整ボタン１１６と、無影照明灯１０の光野径を調整するための光野径調整ボタン１１８と、アンビエントライト１７の点灯状態と消灯状態とを切り替えるための「アンビエントライトＯＮ／ＯＦＦ」ボタン１２０と、無影照明灯１０の第１光源１９の点灯状態と消灯状態とを切り替えるための「無影照明灯ＯＮ／ＯＦＦ」ボタン１２２と、初期の操作画面１００に戻るための戻るボタン（図示せず）が設けられている。照度調整ボタン１１６は、照度を上げるための上昇ボタン１１６Ａと、照度を下げるための低減ボタン１１６Ｂとから構成されている。光野径調整ボタン１１８は、光野径を広げるための拡張ボタン１１８Ａと、光野径を狭めるための縮小ボタン１１８Ｂとから構成されている。
【００４１】
切替要求送信部４４は、図３に示すように、無影照明灯用照明切替手段５０Ａ、室内照明装置用照明切替手段５０Ｂ及びダウンライト用照明切替手段５０Ｃのそれぞれに対して、無線又は有線にて接続されている。この切替要求送信部４４は、制御部４６による制御に基づいて、タッチパネル４２（又は図示しない壁面埋め込み型操作パネル）を介して入力された操作内容（照明状態切替種別）に応じた照明状態切替要求を、無影照明灯用照明切替手段５０Ａ、室内照明装置用照明切替手段５０Ｂ及びダウンライト用照明切替手段５０Ｃのそれぞれに対して、送信するように構成されている。
【００４２】
無影照明灯用照明切替手段５０Ａは、図３に示すように、切替要求送信部４４から送信された照明状態切替要求を受信する受信部５２Ａと、受信部５２Ａが受信した照明状態切替要求の内容に応じて、無影照明灯１０の第１光源１９及びアンビエントライト用光源１７Ａの点灯状態及び消灯状態の切替制御や、無影照明灯１０の照度を調整する照度調整制御、無影照明灯１０の光野径を調整する光野径調整制御等の各種制御を実行する制御部５４Ａとを備えている。この制御部５４Ａは、有線又は無線にて無影照明灯１０と接続されている。また、制御部５４Ａは、図示しない記憶部に格納されたプログラムに基づいて、種々の処理が実行されるように構成されている。
【００４３】
室内照明装置用照明切替手段５０Ｂは、図３に示すように、切替要求送信部４４から送信された照明状態切替要求を受信する受信部５２Ｂと、受信部５２Ｂが受信した照明状態切替要求の内容に応じて、室内照明装置２０の第２光源２５、第３光源２６及び第４光源２７の点灯状態及び消灯状態の切替制御や、室内照明装置２０の照度を調整する照度調整制御等の各種制御を実行する制御部５４Ｂとを備えている。この制御部５４Ｂは、有線又は無線にて各室内照明装置２０と接続されている。また、制御部５４Ｂは、図示しない記憶部に格納されたプログラムに基づいて、種々の処理が実行されるように構成されている。
【００４４】
ダウンライト用照明切替手段５０Ｃは、図３に示すように、切替要求送信部４４から送信された照明状態切替要求を受信する受信部５２Ｃと、受信部５２Ｃが受信した照明状態切替要求の内容に応じて、ダウンライト３０のダウンライト用光源３２の点灯状態及び消灯状態の切替制御や、ダウンライト３０の照度を調整する照度調整制御等の各種制御を実行する制御部５４Ｃとを備えている。この制御部５４Ｃは、有線又は無線にて各ダウンライト３０と接続されている。また、制御部５４Ｃは、図示しない記憶部に格納されたプログラムに基づいて、種々の処理が実行されるように構成されている。
【００４５】
以上の医療用照明システム１において、無影照明灯１０、室内照明装置２０及びダウンライト３０の制御は、所定のプログラムにより処理が実行される切替要求受付手段４０及び照明切替手段５０Ａ〜５０Ｃによって、以下のように行われる。
【００４６】
まず、切替要求受付手段４０の制御部４６による制御に基づいて、タッチパネル４２に操作画面１００が表示される。その後、操作者によってタッチパネル４２の操作画面１００上に表示された各種ボタンが押下されると、制御部４６がこれを検知し、押下されたボタンの種別を判別する。以下、押下されたボタンが「清掃・準備」ボタン１０２である場合、「患者入退室」ボタン１０４である場合、「通常手術」ボタン１０６である場合、「内視鏡手術」ボタン１０８である場合、「消灯」ボタン１１０である場合、「ダウンライトＯＮ／ＯＦＦ」である場合、「無影照明灯操作画面」ボタン１１２である場合のそれぞれについて、場合分けをして説明する。
【００４７】
［清掃・準備ボタン１０２が押下された場合］
切替要求受付手段４０の制御部４６は、押下されたボタンが「清掃・準備」ボタン１０２であると検知した場合には、切替要求送信部４４から室内照明装置用照明切替手段５０Ｂに対し、室内照明装置２０の第４光源２７を点灯（ＯＮ）状態とし、第２光源２５及び第３光源２６を消灯（ＯＦＦ）状態とするための切替要求を送信する。室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第４光源２７を点灯（ＯＮ）状態とすると共に、第２光源２５及び第３光源２６を消灯（ＯＦＦ）状態とさせる。この切替制御により、施術室には、室内照明装置２０の第４光源２７による光、すなわち、日中の太陽光線の色温度と概ね同程度の自然な色温度（５０００Ｋ〜６５００Ｋ）の光が供給される。
【００４８】
［患者入退室ボタン１０４が押下された場合］
切替要求受付手段４０の制御部４６は、押下されたボタンが「患者入退室」ボタン１０４であると検知した場合には、切替要求送信部４４から室内照明装置用照明切替手段５０Ｂに対し、室内照明装置２０の第３光源２６を点灯（ＯＮ）状態とし、第２光源２５及び第４光源２７を消灯（ＯＦＦ）状態とするための切替要求を送信する。室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第３光源２６を点灯（ＯＮ）状態とすると共に、第２光源２５及び第４光源２７を消灯（ＯＦＦ）状態とさせる。この切替制御により、施術室には、室内照明装置２０の第３光源２６による光、すなわち、２０００Ｋ〜３５００Ｋの範囲に属する色温度の光が供給される。
【００４９】
［通常手術ボタン１０６が押下された場合］
切替要求受付手段４０の制御部４６は、押下されたボタンが「通常手術」ボタン１０６であると検知した場合には、切替要求送信部４４から室内照明装置用照明切替手段５０Ｂに対し、室内照明装置２０の第２光源２５を点灯（ＯＮ）状態とし、第３光源２６及び第４光源２７を消灯（ＯＦＦ）状態とするための切替要求を送信する。室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第２光源２５を点灯（ＯＮ）状態とすると共に、第３光源２６及び第４光源２７を消灯（ＯＦＦ）状態とさせる。この切替制御により、施術室全体には、室内照明装置２０の第２光源２５により、無影照明灯１０の光と概ね同程度の色温度からなる光が供給される。
【００５０】
［内視鏡手術ボタン１０８が押下された場合］
切替要求受付手段４０の制御部４６は、押下されたボタンが「内視鏡手術」ボタン１０８であると検知した場合には、切替要求送信部４４から室内照明装置用照明切替手段５０Ｂに対し、室内照明装置２０の第２光源２５を低照度の点灯（ＯＮ）状態とし、第３光源２６及び第４光源２７を消灯（ＯＦＦ）状態とするための切替要求を送信する。室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第２光源２５を低照度の点灯（ＯＮ）状態とすると共に、第３光源２６及び第４光源２７を消灯（ＯＦＦ）状態とさせる。この切替制御により、施術室には、室内照明装置２０の第２光源２５による薄暗い光が供給される。
【００５１】
［消灯ボタン１１０が押下された場合］
切替要求受付手段４０の制御部４６は、押下されたボタンが「消灯」ボタン１１０であると検知した場合には、切替要求送信部４４から室内照明装置用照明切替手段５０Ｂに対し、室内照明装置２０の第２光源２５、第３光源２６及び第４光源２７を消灯（ＯＦＦ）状態とするための切替要求を送信する。室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第２光源２５、第３光源２６及び第４光源２７を消灯（ＯＦＦ）状態とさせる。この切替制御により、室内照明装置２０が消灯状態となる。
【００５２】
［無影照明灯操作画面ボタン１１２が押下された場合］
切替要求受付手段４０の制御部４６は、押下されたボタンが「無影照明灯操作画面」ボタン１１２であると検知した場合には、それまでに表示されていた操作画面１００に代えて、図８に示す無影照明灯操作画面１０１をタッチパネル４２の表示画面上に表示させる。
【００５３】
そして、切替要求受付手段４０の制御部４６は、無影照明灯操作画面１０１に表示された照度調整ボタン１１６の上昇ボタン１１６Ａが押下されたと検知した場合には、切替要求送信部４４から無影照明灯用照明切替手段５０Ａに対し、無影照明灯１０の照度を上げるための切替要求を送信し、また、照度調整ボタン１１６の低減ボタン１１６Ｂが押下されたと検知した場合には、切替要求送信部４４から無影照明灯用照明切替手段５０Ａに対し、無影照明灯１０の照度を下げるための切替要求を送信する。無影照明灯用照明切替手段５０Ａの制御部５４Ａは、切替要求受付手段４０の切替要求送信部４４から送信された切替要求を受信部５２Ａにより受信し、当該受信された切替要求に基づいて、無影照明灯１０の照度を上昇又は低減させる。
【００５４】
また、切替要求受付手段４０の制御部４６は、無影照明灯操作画面１０１に表示された光野径調整ボタン１１８の拡張ボタン１１８Ａが押下されたと検知した場合には、切替要求送信部４４から無影照明灯用照明切替手段５０Ａに対し、無影照明灯１０の光野径を広げるための切替要求を送信し、また、光野径調整ボタン１１８の縮小ボタン１１８Ｂが押下されたと検知した場合には、切替要求送信部４４から無影照明灯用照明切替手段５０Ａに対し、無影照明灯１０の光野径を狭めるための切替要求を送信する。無影照明灯用照明切替手段５０Ａの制御部５４Ａは、切替要求受付手段４０の切替要求送信部４４から送信された切替要求を受信部５２Ａにより受信し、当該受信された切替要求に基づいて、無影照明灯１０の光野径を拡張又は縮小させる。
【００５５】
さらに、切替要求受付手段４０の制御部４６は、無影照明灯操作画面１０１に表示された「アンビエントライトＯＮ／ＯＦＦ」ボタン１２０が押下されたと検知した場合には、切替要求送信部４４から無影照明灯用照明切替手段５０Ａに対し、アンビエントライト用光源１７Ａの点灯状態と消灯状態とを切り替えるための切替要求を送信する。無影照明灯用照明切替手段５０Ａの制御部５４Ａは、切替要求受付手段４０の切替要求送信部４４から送信された切替要求を受信部５２Ａにより受信し、当該受信された切替要求に基づいて、アンビエントライト用光源１７Ａの点灯状態と消灯状態とを切り替える。この切替制御により、アンビエントライト１７の点灯状態と消灯状態とが切り替えられる。
【００５６】
また、切替要求受付手段４０の制御部４６は、無影照明灯操作画面１０１に表示された「無影照明灯ＯＮ／ＯＦＦ」ボタン１２２が押下されたと検知した場合には、切替要求送信部４４から無影照明灯用照明切替手段５０Ａに対し、第１光源１９の点灯状態と消灯状態とを切り替えるための切替要求を送信する。無影照明灯用照明切替手段５０Ａの制御部５４Ａは、切替要求受付手段４０の切替要求送信部４４から送信された切替要求を受信部５２Ａにより受信し、当該受信された切替要求に基づいて、第１光源１９の点灯状態と消灯状態とを切り替える。この切替制御により、第１光源１９の点灯状態と消灯状態とが切り替えられる。
【００５７】
［ダウンライトＯＮ／ＯＦＦボタン１１４が押下された場合］
切替要求受付手段４０の制御部４６は、押下されたボタンが「ダウンライトＯＮ／ＯＦＦ」ボタン１１４であると検知した場合には、切替要求送信部４４からダウンライト用照明切替手段５０Ｃに対し、ダウンライト用光源３２の点灯状態と消灯状態とを切り替えるための切替要求を送信する。ダウンライト用照明切替手段５０Ｃの制御部５４Ｃは、切替要求受付手段４０の切替要求送信部４４から送信された切替要求を受信部５２Ｃにより受信し、当該受信された切替要求に基づいて、ダウンライト用光源３２の点灯状態と消灯状態とを切り替える。この切替制御により、ダウンライト３０の点灯状態と消灯状態とが切り替えられる。
【００５８】
また、切替要求受付手段４０の制御部４６は、押下されたボタンが、室内照明装置２０の照度を調整するための図示しないボタン、あるいはダウンライト３０の照度を調整するための図示しないボタンであると検知した場合には、対応する照明切替手段５０Ｂ〜５０Ｃの制御部５４Ｂ〜５４Ｃに対して各切替要求（調整要求）を送信し、対応する照明切替手段５０Ｂ〜５０Ｃは、当該切替要求に基づいて、対応する照明装置（室内照明装置２０又はダウンライト３０）の照度を変更する（調整する）。この切替制御により、室内照明装置２０又はダウンライト３０の照度が変更される。
【００５９】
次に、第１実施形態に係る医療用照明システムを用いた照明方法について説明する。本実施形態に係る照明方法は、施術室内に光を供給する照明方法であって、概略的には、施術室の医療用照明システムの色温度をオペシーン毎に最適に調節し、各オペシーンに応じた最適な照明を施術室に供給することにより、施術者及びその助手等の医療従事者が施術し易い快適な環境（光空間）や、被施術者（患者）が快適に施術を受けられる環境（光空間）を作り出すための医療空間照明方法である。具体的には、本実施形態に係る照明方法は、オペシーンを、手術前における施術室の清掃・準備時期（室内への被施術者の入出前）、施術室への被施術者の入出及び被施術者への麻酔投入時期（室内への被施術者の入出時期）、手術時期（被施術者に対する施術時期）、手術後の被施術者の回復及び施術室からの被施術者の退出時期（室内からの被施術者の退出時期）、手術後における施術室の清掃・片付け時期（室内からの被施術者の退出後）の５つの時期に分け、各時期における適応した空間照明を提供する照明方法である。
【００６０】
［手術前における施術室の清掃・準備時期］
まず、手術前における施術室の清掃・準備時期において、清掃者は、タッチパネル４２の表示画面１００に表示された「清掃・準備」ボタン１０２を押下する。また、ダウンライト３０が点灯状態である場合には、表示画面１００に表示された「ダウンライトＯＮ／ＯＦＦ」ボタン１１４を押下してダウンライト３０を消灯状態とし、無影照明灯１０が点灯状態である場合には、表示画面１００に表示された「無影照明灯操作画面」ボタン１１２を押下して無影照明灯操作画面１０１を表示させた後、「アンビエントライトＯＮ／ＯＦＦ」ボタン１２０及び／又は「無影照明灯ＯＮ／ＯＦＦ」ボタン１２２を押下して無影照明灯１０を消灯状態とする。「清掃・準備」ボタン１０２が押下されると、上述した切替要求受付手段４０及び室内照明装置用照明切替手段５０Ｂの切替制御により、施術室には、室内照明装置２０の第４光源２７による光、すなわち、日中の太陽光線の色温度と概ね同程度の自然な色温度（５０００Ｋ〜６５００Ｋ）の光のみが供給される。このように、手術前における施術室の清掃・準備時期においては、医療用照明システム１によって、施術室内を色温度の高い光空間とする。これにより、清掃作業等の作業効率を向上させることができる。
【００６１】
［施術室への被施術者の入出及び被施術者への麻酔投入時期］
次に、施術室への被施術者の入出及び被施術者への麻酔投入時期において、操作者（医療従事者）は、タッチパネル４２の表示画面１００に表示された「患者入退室」ボタン１０４を押下する。「患者入退室」ボタン１０４が押下されると、上述した切替要求受付手段４０及び室内照明装置用照明切替手段５０Ｂの切替制御により、施術室には、室内照明装置２０の第３光源２６による光、すなわち、２０００Ｋ〜３５００Ｋの範囲に属する色温度の光のみが供給される。このように、施術室への被施術者の入出時〜被施術者への麻酔投入時においては、医療用照明システム１によって、施術室内を穏やかな暖色系の色温度の光空間とする。これにより、被施術者（患者）の不安を和らげ、心的ストレスを軽減させることができる。
【００６２】
［手術時期（通常手術時）］
次に、被施術者に対する通常手術を実施する時期において、操作者（医療従事者）は、タッチパネル４２の表示画面１００に表示された「通常手術」ボタン１０６を押下すると共に、表示画面１００に表示された「無影照明灯操作画面」ボタン１１２を押下して無影照明灯操作画面１０１を表示させた後、「無影照明灯ＯＮ／ＯＦＦ」ボタン１２２を押下する。「通常手術」ボタン１０６及び「無影照明灯ＯＮ／ＯＦＦ」ボタン１２２が押下されると、上述した切替要求受付手段４０及び照明切替手段５０Ａ，５０Ｂの切替制御により、施術部位には、無影照明灯１０の光（色温度約４２００Ｋ）が供給され、施術室全体には、無影照明灯１０の光と概ね同程度の色温度（無影照明灯１０の色温度との差が１０００Ｋ以内、好ましくは５００Ｋ以内の色温度）からなる光が供給される。このように、被施術者に対する通常手術を実施する時期においては、医療用照明システム１によって、施術部位を照らす無影照明灯１０の光の色温度と、施術室全体を照らす室内照明装置２０の光の色温度との差が無い若しくは極めて小さい光空間、すなわち、視認性に優れた空間照明を提供する。このように施術室を視認性に優れた光空間とすることにより、施術者及びその助手等の医療従事者の目の負担を軽減させることができ、オペ効率（パフォーマンス）を向上させることができる。
【００６３】
［手術時期（内視鏡手術時）］
また、被施術者に対する手術が内視鏡手術である場合には、被施術者に対する内視鏡手術を実施する時期において、操作者（医療従事者）は、タッチパネル４２の表示画面１００に表示された「内視鏡手術」ボタン１０８と、「ダウンライトＯＮ／ＯＦＦ」ボタン１１４とを押下すると共に、表示画面１００に表示された「無影照明灯操作画面」ボタン１１２を押下して無影照明灯操作画面１０１を表示させた後、「アンビエントライトＯＮ／ＯＦＦ」ボタン１２０を押下する。「内視鏡手術」ボタン１０８、「ダウンライトＯＮ／ＯＦＦ」ボタン１１４及び「アンビエントライトＯＮ／ＯＦＦ」ボタン１２０が押下されると、上述した切替要求受付手段４０及び照明切替手段５０Ａ〜５０Ｃの切替制御により、施術室には、室内照明装置２０の第２光源２５による薄暗い光と、アンビエントライト用光源１７Ａによる僅かな光と、モニター８を中心とした局所的な領域のみを照らすダウンライト３０の青色若しくは緑色又は施術者が希望する任意色の光が供給される。このように、被施術者に対する内視鏡手術を実施する時期においては、医療用照明システム１によって、内視鏡手術に適した照明空間、すなわち、施術室全体が薄暗く、かつ、モニター８を中心とした局所的な領域のみが明るい光空間とする。特に、ダウンライト３０の照明が青色若しくは緑色又は施術者が希望する任意色の光であるため、施術者及びその助手等の医療従事者の視認性を向上させることができ、目に対する負担の軽減及びオペ効率（パフォーマンス）の向上を図ることができる。
【００６４】
［手術後の被施術者の回復及び施術室からの被施術者の退出時期］
次に、手術後の被施術者の回復及び施術室からの被施術者の退出時期において、操作者（医療従事者）は、タッチパネル４２の表示画面１００に表示された「患者入退室」ボタン１０４を押下する。また、ダウンライト３０が点灯状態である場合には、表示画面１００に表示された「ダウンライトＯＮ／ＯＦＦ」ボタン１１４を押下してダウンライト３０を消灯状態とし、無影照明灯１０が点灯状態である場合には、表示画面１００に表示された「無影照明灯操作画面」ボタン１１２を押下して無影照明灯操作画面１０１を表示させた後、「アンビエントライトＯＮ／ＯＦＦ」ボタン１２０及び／又は「無影照明灯ＯＮ／ＯＦＦ」ボタン１２２を押下して無影照明灯１０を消灯状態とする。「患者入退室」ボタン１０４が押下されると、上述した切替要求受付手段４０及び室内照明装置用照明切替手段５０Ｂの切替制御により、施術室には、室内照明装置２０の第３光源２６による光、すなわち、２０００Ｋ〜３５００Ｋの範囲に属する色温度の光のみが供給される。このように、手術後（被施術者の回復時期）〜施術室からの被施術者の退出時においては、医療用照明システム１によって、施術室内を穏やかな暖色系の色温度の光空間とする。これにより、オペ後の被施術者（患者）に安心感を与えることができる。
【００６５】
［手術後における施術室の清掃・片付け時期］
最後に、手術後における施術室の清掃・片付け時期において、清掃者は、手術前における施術室の清掃・準備時と同様に、タッチパネル４２の表示画面１００に表示された「清掃・準備」ボタン１０２を押下する。これにより、施術室には、日中の太陽光線の色温度と概ね同程度の自然な色温度（５０００Ｋ〜６５００Ｋ）の光が供給され、施術室内が色温度の高い光空間となるため、清掃作業等の作業効率を向上させることができる。
【００６６】
以上のように、第１実施形態に係る医療用照明システム及び照明方法によれば、施術室が施術者（医療従事者）及び被施術者（患者）の双方にとって最適な空間となるように、オペシーン毎に、各オペシーンに応じた最適な照明を施術室に供給することが可能となる。
【００６７】
すなわち、従来の施術室等の照明設備では、施術部位を照らす光の色温度（医療用無影照明灯による照明の色温度）と、施術室全体を照らす光の色温度（施術室全体を照らす室内照明装置による照明の色温度）との間に大きな差（例えば１０００Ｋよりも大きな差）が生じている。このような局所的に色温度が異なる照明空間では、施術者（医療従事者）の目の瞳孔の開閉等が頻繁に行われるため、特に長時間の手術においては、施術者の目に大きな負担がかかり、目の疲れを引き起こすという問題がある。これに対し、本実施形態に係る医療用照明システム及び照明方法は、施術部位を照らす光の色温度と、施術室全体を照らす光の色温度との差がほぼ無い又は非常に小さいため、施術者の目の瞳孔の開閉等を最小限に抑えることができ、手術中における施術者の目の負担を軽減させることができる。このように、本実施形態に係る医療用照明システム及び照明方法によれば、通常手術のオペシーンにおいて、施術者の目の負担が軽減され、目が疲れにくいという、施術者にとって最適な照明空間を作出することができる。
【００６８】
また、従来の施術室の照明設備では、常に一定の色温度からなる照明により施術室全体が照らされている。このため、例えば施術室全体を照らす照明として比較的高い色温度（約５０００Ｋ）の照明が用いられる場合には、施術室の清掃作業者等にとっては作業のし易い照明空間ではあるものの、被施術者（患者）にとっては落ち着かない空間となり、意識がある状態の被施術者に対しては好ましくない照明空間が作出されることとなる。一方、例えば施術室全体を照らす照明として暖色系の色温度（約３０００Ｋ）の照明が用いられる場合には、被施術者にとってはリラックスできる照明空間ではあるものの、施術室の清掃作業者等にとっては作業意欲が減退する空間となり、清掃作業者等に対しては好ましくない照明空間が作出されることとなる。これに対し、本実施形態に係る医療用照明システム及び照明方法は、シーンに応じて室内照明装置の光を切り替え、異なる色温度の光を選択的に供給することができる。このため、本実施形態に係る医療用照明システム及び照明方法によれば、例えば手術前後の清掃段階においては、施術室内を比較的高い色温度の照明に切り替えて、清掃作業者にとって作業効率が良い最適な照明空間を作出し、また、例えば被施術者の意識がある状態（施術室への入退出時等）においては、施術室内を暖色系の色温度の照明に切り替えて、被施術者にとって落ち着くことのできる最適な照明空間を作出することができる。
【００６９】
本発明に係る医療用照明システム及び照明方法は、上述した実施形態に限定されるものではなく、本発明の技術思想を逸脱しない範囲内において種々の改変を行なうことができる。
【００７０】
［第２実施形態］
例えば、第１実施形態に係る医療用照明システム１において、室内照明装置２０は、異なる色温度の光を照射可能な３種類の光源（第２光源２５、第３光源２６及び第４光源２７）を選択的に切り替えて発光させることにより、第２の色温度（無影照明灯の光の色温度を基準として＋１０００Ｋ〜−１０００Ｋの範囲に属する色温度）と、第３の色温度（２０００Ｋ〜３５００Ｋの範囲に属する色温度）と、第４の色温度（５０００Ｋ〜６５００Ｋの範囲に属する色温度）とを切り替えるものとして説明したが、これに限定されるものではない。以下、光の色温度を変更可能な他の室内照明装置２０´を備える第２実施形態に係る医療用照明システム１´について、図９を用いて説明する。
【００７１】
第２実施形態に係る医療用照明システム１´は、第１実施形態に係る医療用照明システム１と同様に、無影照明灯１０、室内照明装置２０´、ダウンライト３０、切替要求受付手段４０及び照明切替手段５０Ａ，５０´Ｂ，５０Ｃを備えている。なお、第２実施形態に係る医療用照明システム１´において、無影照明灯１０、ダウンライト３０、切替要求受付手段４０、無影照明灯用照明切替手段５０Ａ及びダウンライト用照明切替手段５０Ｃについては、第１実施形態に係る医療用照明システム１と同様であるため、同一符号を用いることで説明を省略する。
【００７２】
室内照明装置２０´は、第１実施形態に係る医療用照明システム１の室内照明装置２０と同様に、ハウジング、カバー及び複数の照明モジュールから構成されている。この各照明モジュールには、第１実施形態に係る医療用照明システム１の室内照明装置２０と異なり、それぞれ、異なる色温度を有する光を発光可能な２種類の光源（第２光源２５´及び第３光源２６´）が縦方向及び横方向に交互となるように順々に配置されている。なお、第２光源２５´及び第３光源２６´の配置順及び配置数は、これに限定されるものではなく、任意の配置順及び配置数とすることができる。本実施形態において、室内照明装置２０が照射する光の色温度は、床上１ｍの位置において測定した数値であるとすることができ、また、その測定は、ＪＩＳ−Ｚ  ８７２５に規定された方法により行うことができる。
【００７３】
第２光源２５´は、調光可能に構成された光源であって、２３００Ｋ〜３３００Ｋの範囲に属する色温度、特に好ましくは２８００Ｋの色温度の光を発光可能な光源である。また、第３光源２６´は、調光可能に構成された光源であって、７０００Ｋ〜８０００Ｋの範囲に属する色温度、特に好ましくは７５００Ｋの色温度の光を発光可能な光源である。これら第２光源２５´及び第３光源２６´としては、例えばハロゲンランプなどの白熱電球、蛍光灯、キセノンランプ、水銀灯、有機ＥＬ及び比較的に発熱量が小さく高輝度な青色ＬＥＤ等の種々のものを用いることもできる。
【００７４】
各室内照明装置２０´は、それぞれ、第２光源２５´の調光率と、第３光源２６´の調光率とを変更可能に構成され、これら第２光源２５´及び第３光源２６´の調光率を変更させることにより、各室内照明装置２０´により照射される照明の色温度を、２３００Ｋ〜８０００Ｋの範囲に属する任意の色温度、好ましくは２８００Ｋ〜７５００Ｋの範囲に属する任意の色温度に調整可能に構成されている。すなわち、各室内照明装置２０´は、第２光源２５´による色温度の低い光と、第３光源２６´による色温度の高い光とを重ね合わせ、かつ、これら第２光源２５´及び第３光源２６´の調光率を変更させることにより、第２光源２５´のみを点灯させた場合の光の色温度から第３光源２６´のみを点灯させた場合の光の色温度に亘る範囲において、任意の色温度を作出可能に構成されている。具体的には、第２光源２５´の調光率が相対的に高く、第３光源２６´の調光率が相対的に低くなるように制御されることにより、色温度の低い光を作出することができ、また、第２光源２５´の調光率が相対的に低く、第３光源２６´の調光率が相対的に高くなるように制御されることにより、色温度の高い光を作出することができるように構成されている。また、各室内照明装置２０´は、周知の方法により、照明全体としての照度の調整が可能に構成されている。
【００７５】
これら各室内照明装置２０は、それぞれ、室内照明装置用照明切替手段５０´Ｂと接続されており、室内照明装置用照明切替手段５０´Ｂの制御部５４´Ｂにより、第２光源２５´及び第３光源２６´の調光率の切替制御（調光制御）や、各装置の照度調整制御等の各種制御が実行されるように構成されている。
【００７６】
室内照明装置用照明切替手段５０´Ｂは、切替要求送信部４４から送信された照明状態切替要求を受信する受信部５２´Ｂと、受信部５２´Ｂが受信した照明状態切替要求の内容に応じて、室内照明装置２０´の第２光源２５´及び第３光源２６´の調光率の切替制御（調光制御）や、室内照明装置２０´の照度を調整する照度調整制御等の各種制御を実行する制御部５４´Ｂとを備えている。この制御部５４´Ｂは、有線又は無線にて各室内照明装置２０´と接続されている。また、制御部５４´Ｂは、図示しない記憶部に格納されたプログラムに基づいて、種々の処理が実行されるように構成されている。
【００７７】
以上のように構成された第２実施形態に係る医療用照明システム１´において、室内照明装置２０´の制御は、所定のプログラムにより処理が実行される切替要求受付手段４０及び室内照明装置用照明切替手段５０´Ｂによって、以下のように行われる。なお、無影照明灯１０及びダウンライト３０の制御は、第１実施形態に係る医療用照明システム１と同様であるため、説明を省略する。
【００７８】
まず、操作者によってタッチパネル４２の操作画面１００上に表示された「清掃・準備」ボタン１０２が押下された場合における室内照明装置２０´の制御について、説明する。切替要求受付手段４０の制御部４６は、押下されたボタンが「清掃・準備」ボタン１０２であると検知した場合には、切替要求送信部４４から室内照明装置用照明切替手段５０´Ｂに対し、第２光源２５´及び第３光源２６´からの光が重なることにより５０００Ｋ〜６５００Ｋの範囲に属する色温度、好ましくは５０００Ｋの色温度を有する光が作出されるような所定の混色比率（照射割合）となるように、室内照明装置２０´の第２光源２５´の調光率を相対的に低く、第３光源２６´の調光率を相対的に高くするための切替要求を送信する。室内照明装置用照明切替手段５０´Ｂの制御部５４´Ｂは、切替要求受付手段４０の切替要求送信部４４から送信された切替要求を受信部５２´Ｂにより受信し、当該受信された切替要求に基づいて、第２光源２５´の光と第３光源２６´の光とが重なることにより５０００Ｋ〜６５００Ｋの範囲に属する色温度、好ましくは５０００Ｋの色温度を有する光が作出されるような混色比率（照射割合）となるように、第２光源２５´及び第３光源２６´の各調光率を調整する。この切替制御により、施術室には、日中の太陽光線の色温度と概ね同程度の自然な色温度（５０００Ｋ〜６５００Ｋ）の光が供給される。なお、この場合における室内照明装置２０´の照明の照度は、床上１ｍの位置で１００〜１０００ルクス程度であることが好ましい。
【００７９】
次に、操作者によってタッチパネル４２の操作画面１００上に表示された「患者入退室」ボタン１０４が押下され、切替要求受付手段４０の制御部４６がこれを検知した場合には、切替要求送信部４４から室内照明装置用照明切替手段５０´Ｂに対し、第２光源２５´及び第３光源２６´からの光が重なることにより２３００Ｋ〜３５００Ｋの範囲に属する色温度、好ましくは２５００Ｋ〜３５００Ｋの範囲に属する色温度、更に好ましくは３０００Ｋ〜３５００Ｋの範囲に属する色温度、特に好ましくは３０００Ｋの色温度を有する光が作出されるような所定の混色比率（照射割合）となるように、室内照明装置２０´の第２光源２５´の調光率を相対的に高く、第３光源２６´の調光率を相対的に低くするための切替要求を送信する。室内照明装置用照明切替手段５０´Ｂの制御部５４´Ｂは、切替要求受付手段４０の切替要求送信部４４から送信された切替要求を受信部５２´Ｂにより受信し、当該受信された切替要求に基づいて、第２光源２５´の光と第３光源２６´の光とが重なることにより２３００Ｋ〜３５００Ｋの範囲に属する色温度、好ましくは２５００Ｋ〜３５００Ｋの範囲に属する色温度、更に好ましくは３０００Ｋ〜３５００Ｋの範囲に属する色温度、特に好ましくは３０００Ｋの色温度の光が作出されるような照射出力割合となるように、第２光源２５´及び第３光源２６´の各調光率を調整する。この切替制御により、施術室には、２３００Ｋ〜３５００Ｋの範囲に属する暖色系の色温度の光が供給される。なお、この場合における室内照明装置２０´の照明の照度は、床上１ｍの位置で１００〜１０００ルクス程度であることが好ましい。
【００８０】
また、操作者によってタッチパネル４２の操作画面１００上に表示された「通常手術」ボタン１０６が押下され、切替要求受付手段４０の制御部４６がこれを検知した場合には、切替要求送信部４４から室内照明装置用照明切替手段５０´Ｂに対し、第２光源２５´の光と第３光源２６´の光とが重なることにより、無影照明灯１０に用いられた第１光源１９の色温度を基準として、＋１０００Ｋ〜−１０００Ｋの範囲に属する色温度、好ましくは＋５００Ｋ〜−５００Ｋの範囲に属する色温度、更に好ましくは＋２５０Ｋ〜−２５０Ｋの範囲に属する色温度、特に好ましくは第１光源１９の色温度と同一の色温度の光が作出されるような所定の混色比率（照射割合）となるように、室内照明装置２０´の第２光源２５´の調光率と第３光源２６´の調光率とが概ね同程度、若しくはいずれか一方の光源の調光率が他方の調光率をやや上回る程度の調光率に変更するための切替要求を送信する。室内照明装置用照明切替手段５０´Ｂの制御部５４´Ｂは、切替要求受付手段４０の切替要求送信部４４から送信された切替要求を受信部５２´Ｂにより受信し、当該受信された切替要求に基づいて、第２光源２５´の光と第３光源２６´の光とが重なることにより、無影照明灯１０に用いられた第１光源１９の色温度を基準として、＋１０００Ｋ〜−１０００Ｋの範囲に属する色温度、好ましくは＋５００Ｋ〜−５００Ｋの範囲に属する色温度、更に好ましくは＋２５０Ｋ〜−２５０Ｋの範囲に属する色温度、特に好ましくは第１光源１９の色温度と同一の色温度の光が作出されるような混色比率（照射割合）となるように、第２光源２５´及び第３光源２６´の各調光率を調整する。この切替制御により、施術室全体には、無影照明灯１０の光と概ね同程度の色温度からなる光が供給される。なお、この場合における室内照明装置２０の照明の色温度は、３０００Ｋ〜６５００Ｋの範囲に属する色温度、好ましくは３５００〜６０００Ｋの範囲に属する色温度、更に好ましくは４０００Ｋ〜５０００Ｋの範囲に属する色温度、更に好ましくは４０００Ｋ〜４５００Ｋの範囲に属する色温度、特に好ましくは４２００Ｋの色温度である。なお、この場合における室内照明装置２０´の照明の照度は、床上１ｍの位置で２００〜５０００ルクス程度、特に１０００ルクス程度であることが好ましい。
【００８１】
また、操作者によってタッチパネル４２の操作画面１００上に表示された「内視鏡手術」ボタン１０８が押下され、切替要求受付手段４０の制御部４６がこれを検知した場合には、切替要求送信部４４から室内照明装置用照明切替手段５０´Ｂに対し、室内照明装置２０´の第２光源２５´の調光率と第３光源２６´の調光率とを、概ね同程度若しくはいずれか一方の光源の調光率が他方の調光率をやや上回る程度の調光率に変更し、かつ、室内照明装置２０´の照明の照度を施術室全体が薄暗く照らされる程度の低い照度に変更するための切替要求を送信する。室内照明装置用照明切替手段５０´Ｂの制御部５４´Ｂは、切替要求受付手段４０の切替要求送信部４４から送信された切替要求を受信部５２´Ｂにより受信し、当該受信された切替要求に基づいて、第２光源２５´の光と第３光源２６´の光とが重なることにより３０００Ｋ〜６５００Ｋの範囲に属する色温度、好ましくは３５００〜６０００Ｋの範囲に属する色温度、更に好ましくは４０００Ｋ〜５０００Ｋの範囲に属する色温度、更に好ましくは４０００Ｋ〜４５００Ｋの範囲に属する色温度、特に好ましくは４２００Ｋの色温度の光が作出されるような混色比率（照射割合）となるように、第２光源２５´及び第３光源２６´の各調光率を調整すると共に、室内照明装置２０´の照度を低下させる。この切替制御により、施術室には、薄暗い光が供給される。
【００８２】
また、操作者によってタッチパネル４２の操作画面１００上に表示された「消灯」ボタン１１０が押下され、切替要求受付手段４０の制御部４６がこれを検知した場合には、切替要求送信部４４から室内照明装置用照明切替手段５０´Ｂに対し、室内照明装置２０´の第２光源２５´及び第３光源２６´を消灯（ＯＦＦ）状態とするための切替要求を送信する。室内照明装置用照明切替手段５０´Ｂの制御部５４´Ｂは、切替要求受付手段４０の切替要求送信部４４から送信された切替要求を受信部５２´Ｂにより受信し、当該受信された切替要求に基づいて、室内照明装置２０´の第２光源２５´及び第３光源２６´を消灯（ＯＦＦ）状態とさせる。この切替制御により、室内照明装置２０´が消灯状態となる。
【００８３】
以上のような第２実施形態に係る医療用照明システム１´によれば、第１実施形態に係る医療用照明システム１と同様に、施術室が施術者（医療従事者）及び被施術者（患者）の双方にとって最適な空間となるように、オペシーン毎に、各オペシーンに応じた最適な照明を施術室に供給することが可能となる。
【００８４】
第２実施形態に係る医療用照明システム１´における室内照明装置２０´の色温度の変更は、第２の色温度（無影照明灯の光の色温度を基準として＋１０００Ｋ〜−１０００Ｋの範囲に属する色温度）を作出可能な混色比率（照射割合）と、第３の色温度（２０００Ｋ〜３５００Ｋの範囲に属する色温度）を作出可能な混色比率（照射割合）と、第４の色温度（５０００Ｋ〜６５００Ｋの範囲に属する色温度）を作出可能な混色比率（照射割合）との３パターンを予め記憶部等に記憶させ、これら３パターンを切り替えることにより実行するとしても良いし、第２光源２５´の調光率と第３光源２６´の調光率とを無段階的に変更することにより実行されるとしても良い。混色比率（照射割合）パターンを切り替える態様において、当該混色比率（照射割合）パターンは、第２光源２５´の調光率を約１００％、第３光源２６´の調光率を約０％とする第１のパターンと、第２光源２５´の調光率を約１００％、第３光源２６´の調光率を約３０％とする第２のパターンと、第２光源２５´の調光率を約７４％、第３光源２６´の調光率を約５６％とする第３のパターンと、第２光源２５´の調光率を約５９％、第３光源２６´の調光率を約７１％とする第４のパターンと、第２光源２５´の調光率を約３５％、第３光源２６´の調光率を約９５％とする第５のパターンと、第２光源２５´の調光率を約０％、第３光源２６´の調光率を約１００％とする第６のパターンとを含むことができる。例えば、第２光源２５´として２８００Ｋの色温度の光を発光可能な光源を用いると共に、第３光源２６´として７５００Ｋの色温度の光を発光可能な光源を用いた場合、第１のパターンによれば、約２８００Ｋの色温度及びＭＡＸ照度の光を作出することができる。第２のパターンによれば、約３２００Ｋの色温度及び約１０００ルクスの照度の光を作出することができる。第３のパターンによれば、約３８００Ｋの色温度及び約１０００ルクスの照度の光を作出することができる。第４のパターンによれば、約４２００Ｋの色温度及び約１０００ルクスの照度の光を作出することができる。第５のパターンによれば、約５０００Ｋの色温度及び約１０００ルクスの照度の光を作出することができる。第６のパターンによれば、約７５００Ｋの色温度及びＭＡＸ照度の光を作出することができる。
【００８５】
［第３実施形態］
また、第１実施形態に係る医療用照明システムでは、無影照明灯、室内照明装置及びダウンライトがそれぞれ個別に制御されるものとして説明したが、これに限定されるものではない。以下、各オペシーンに応じた最適な照明空間となるように、無影照明灯、室内照明装置及びダウンライトを一括して制御する第３実施形態に係る医療用照明システムについて、図１０及び図１１を用いて説明する。
【００８６】
第３実施形態に係る医療用照明システムは、第１実施形態に係る医療用照明システム１と同様に、無影照明灯１０、室内照明装置２０、ダウンライト３０、切替要求受付手段４０及び照明切替手段５０Ａ〜５０Ｃを備えており、タッチパネル４２に表示された操作画面からの入力操作の内容に応じて、無影照明灯１０、室内照明装置２０及びダウンライト３０の照明状態を変更するように構成されている。なお、第３実施形態に係る医療用照明システムにおいて、第１実施形態に係る医療用照明システム１と異なる点は、タッチパネル４２に表示される操作画面２００と、切替要求受付手段４０及び照明切替手段５０Ａ〜５０Ｃによる無影照明灯１０、室内照明装置２０及びダウンライト３０の切替制御である。医療用照明システムの基本構成は、第１実施形態に係る医療用照明システム１と同様であるため、その説明を省略する。
【００８７】
第３実施形態に係る医療用照明システムにおけるタッチパネル４２には、図１０に示すように、無影照明灯１０、室内照明装置２０及びダウンライト３０の照明状態を一括して変更させるための「清掃・準備モード  一括切替」ボタン２０２、「患者入退室モード  一括切替」ボタン２０４、「通常手術モード  一括切替」ボタン２０８、及び「内視鏡手術モード  一括切替」ボタン２１０と、無影照明灯１０の各光源の照明状態を変更させるための「無影照明灯ＯＮ／ＯＦＦ」ボタン２１２、及び「アンビエントライトＯＮ／ＯＦＦ」ボタン２１３と、室内照明装置２０の各光源の照明状態を変更させるための「室内照明装置第２光源ＯＮ／ＯＦＦ」ボタン２１４、「室内照明装置第３光源ＯＮ／ＯＦＦ」ボタン２１５、及び「室内照明装置第４光源ＯＮ／ＯＦＦ」ボタン２１６と、ダウンライト３０の照明状態を変更させるための「ダウンライトＯＮ／ＯＦＦ」ボタン２１８とが設けられた操作画面２００が表示される。また、操作画面２００には、無影照明灯１０の照度や光野径を調整するための照度調整ボタン（図示せず）及び光野径調整ボタン（図示せず）、室内照明装置２０の照度を調整するための照度調整ボタン（図示せず）、並びにダウンライト３０の照度を調整するための照度調整ボタン（図示せず）が設けられている。
【００８８】
「清掃・準備モード  一括切替」ボタン２０２は、医療用照明システムによる照明を５０００Ｋ〜６５００Ｋの範囲に属する色温度の照明に変更させ、施術室の室内空間を比較的色温度が高い光空間とするためのボタンである。具体的には、「清掃・準備モード  一括切替」ボタン２０２は、室内照明装置２０の第４光源２７を点灯させ、無影照明灯１０の第１光源１９及びアンビエントライト用光源１７Ａ、室内照明装置２０の第２光源２５及び第３光源２６並びにダウンライト３０のダウンライト用光源３２を消灯させるためのボタンである。
【００８９】
「患者入退室モード  一括切替」ボタン２０４は、医療用照明システムによる照明を２０００Ｋ〜３５００Ｋの範囲に属する色温度の照明に変更させ、施術室の室内空間を穏やかな暖色系の光空間とするためのボタンである。具体的には、「患者入退室モード  一括切替」ボタン２０４は、室内照明装置２０の第３光源２６を点灯させ、無影照明灯１０の第１光源１９及びアンビエントライト用光源１７Ａ、室内照明装置２０の第２光源２５及び第４光源２７並びにダウンライト３０のダウンライト用光源３２を消灯させるためのボタンである。
【００９０】
「通常手術モード  一括切替」ボタン２０８は、無影照明灯１０の照明の色温度と室内照明装置２０の照明の色温度との差が１０００Ｋ以内、好ましくは５００Ｋ以内に収まるように医療用照明システムによる照明を変更させ、施術室の室内空間を無影照明灯１０と概ね同じ色温度の光空間とするためのボタンである。具体的には、「通常手術モード  一括切替」ボタン２０８は、無影照明灯１０の第１光源１９及び室内照明装置２０の第２光源２５を点灯させ、無影照明灯１０のアンビエントライト用光源１７Ａ、室内照明装置２０の第３光源２６及び第４光源２７並びにダウンライト３０のダウンライト用光源３２を消灯させるためのボタンである。
【００９１】
「内視鏡手術モード  一括切替」ボタン２１０は、施術室全体を薄暗くし、モニター８を中心とした局所的な領域のみ明るく照らされるように、医療用照明システムによる照明を変更させるためのボタンである。具体的には、「内視鏡手術モード  一括切替」ボタン２１０は、無影照明灯１０のアンビエントライト用光源１７Ａ及びダウンライト３０のダウンライト用光源３２を点灯させると共に、施術室全体が薄暗く照らされる程度の低い照度で室内照明装置２０の第２光源２５を点灯させ、無影照明灯１０の第１光源１９並びに室内照明装置２０の第３光源２６及び第４光源２７を消灯させるためのボタンである。
【００９２】
「無影照明灯ＯＮ／ＯＦＦ」ボタン２１２は、無影照明灯１０の第１光源１９の点灯状態と消灯状態とを切り替えるためのボタンである。具体的には、「無影照明灯ＯＮ／ＯＦＦ」ボタン２１２は、無影照明灯１０の第１光源１９が点灯状態である場合には、第１光源１９を消灯させ、第１光源１９が消灯状態である場合には、第１光源１９を点灯させるためのボタンである。
【００９３】
「アンビエントライトＯＮ／ＯＦＦ」ボタン２１３は、無影照明灯１０のアンビエントライト１７の点灯状態と消灯状態とを切り替えるためのボタンである。具体的には、「アンビエントライトＯＮ／ＯＦＦ」ボタン２１３は、無影照明灯１０のアンビエントライト１７が点灯状態である場合には、アンビエントライト１７を消灯させ、アンビエントライト１７が消灯状態である場合には、アンビエントライト１７を点灯させるためのボタンである。
【００９４】
「室内照明装置第２光源ＯＮ／ＯＦＦ」ボタン２１４は、室内照明装置２０の第２光源２５の点灯状態と消灯状態とを切り替えるためのボタンである。具体的には、「室内照明装置第２光源ＯＮ／ＯＦＦ」ボタン２１４は、室内照明装置２０の第２光源２５が点灯状態である場合には、第２光源２５を消灯させ、第２光源２５が消灯状態である場合には、第２光源２５を点灯させるためのボタンである。また、「室内照明装置第３光源ＯＮ／ＯＦＦ」ボタン２１５は、同様に、室内照明装置２０の第３光源２６の点灯状態と消灯状態とを切り替えるためのボタンであり、「室内照明装置第４光源ＯＮ／ＯＦＦ」ボタン２１６は、同様に、室内照明装置２０の第４光源２７の点灯状態と消灯状態とを切り替えるためのボタンである。
【００９５】
「ダウンライトＯＮ／ＯＦＦ」ボタン２１８は、ダウンライト３０の点灯状態と消灯状態とを切り替えるためのボタンである。具体的には、「ダウンライトＯＮ／ＯＦＦ」ボタン２１８は、ダウンライト３０のダウンライト用光源３２が点灯状態である場合には、ダウンライト用光源３２を消灯させ、ダウンライト用光源３２が消灯状態である場合には、ダウンライト用光源３２を点灯させるためのボタンである。
【００９６】
このような第３実施形態に係る医療用照明システムにおいて、無影照明灯１０、室内照明装置２０及びダウンライト３０の制御は、例えば図１１に示すように、所定のプログラムにより処理が実行される切替要求受付手段４０及び照明切替手段５０Ａ〜５０Ｃによって、以下のように行われる。
【００９７】
まず、切替要求受付手段４０の制御部４６による制御に基づいて、タッチパネル４２に操作画面２００が表示される（Ｓ１）。その後、操作者によってタッチパネル４２の操作画面２００上に表示された各種ボタンが押下されると、制御部４６がこれを検知し、押下されたボタンの種別を判別する（Ｓ２）。以下、押下されたボタンが「清掃・準備モード  一括切替」ボタン２０２である場合（Ｓ３Ａ〜Ｓ５Ａ）、「患者入退室モード  一括切替」ボタン２０４である場合（Ｓ３Ｂ〜Ｓ５Ｂ）、「通常手術モード  一括切替」ボタン２０８である場合（Ｓ３Ｃ〜Ｓ５Ｃ）、「内視鏡手術モード  一括切替」ボタン２１０である場合（Ｓ３Ｄ〜Ｓ５Ｄ）、各種「ＯＮ／ＯＦＦ」ボタン２１２〜２１８である場合（図示省略）のそれぞれについて、場合分けをして説明する。
【００９８】
［清掃・準備モード  一括切替ボタン２０２が押下された場合］
切替要求受付手段４０の制御部４６は、押下されたボタンが「清掃・準備モード  一括切替」ボタン２０２であると検知した場合には、まず、切替要求送信部４４から無影照明灯用照明切替手段５０Ａに対し、無影照明灯１０の第１光源１９及びアンビエントライト用光源１７Ａを消灯（ＯＦＦ）状態とするための切替要求を送信する。また、制御部４６は、切替要求送信部４４から室内照明装置用照明切替手段５０Ｂに対し、室内照明装置２０の第４光源２７を点灯（ＯＮ）状態とし、第２光源２５及び第３光源２６を消灯（ＯＦＦ）状態とするための切替要求を送信する。さらに、制御部４６は、切替要求送信部４４からダウンライト用照明切替手段５０Ｃに対し、ダウンライト３０のダウンライト用光源３２を消灯（ＯＦＦ）状態とするための切替要求を送信する。
【００９９】
次に、無影照明灯用照明切替手段５０Ａの制御部５４Ａは、切替要求受付手段４０の切替要求送信部４４から送信された切替要求を受信部５２Ａにより受信し、当該受信された切替要求に基づいて、無影照明灯１０の第１光源１９及びアンビエントライト用光源１７Ａを消灯（ＯＦＦ）状態とさせる（Ｓ３Ａ）。また、室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第４光源２７を点灯（ＯＮ）状態とすると共に、第２光源２５及び第３光源２６を消灯（ＯＦＦ）状態とさせる（Ｓ４Ａ）。さらに、ダウンライト用照明切替手段５０Ｃの制御部５４Ｃは、切替要求受付手段４０の切替要求送信部４４から送信された切替要求を受信部５２Ｃにより受信し、当該受信された切替要求に基づいて、ダウンライト３０のダウンライト用光源３２を消灯（ＯＦＦ）状態とさせる（Ｓ５Ａ）。
【０１００】
以上の切替制御により、施術室には、室内照明装置２０の第４光源２７による光、すなわち、日中の太陽光線の色温度と概ね同程度の自然な色温度（５０００Ｋ〜６５００Ｋ）の光のみが供給される。このように、医療用照明システムによって施術室内を色温度の高い光空間とすることにより、清掃作業等の作業効率を向上させることができる。
【０１０１】
［患者入退室モード  一括切替ボタン２０４が押下された場合］
切替要求受付手段４０の制御部４６は、押下されたボタンが「患者入退室モード  一括切替」ボタン２０４であると検知した場合には、まず、切替要求送信部４４から無影照明灯用照明切替手段５０Ａに対し、無影照明灯１０の第１光源１９及びアンビエントライト用光源１７Ａを消灯（ＯＦＦ）状態とするための切替要求を送信する。また、制御部４６は、切替要求送信部４４から室内照明装置用照明切替手段５０Ｂに対し、室内照明装置２０の第３光源２６を点灯（ＯＮ）状態とし、第２光源２５及び第４光源２７を消灯（ＯＦＦ）状態とするための切替要求を送信する。さらに、制御部４６は、切替要求送信部４４からダウンライト用照明切替手段５０Ｃに対し、ダウンライト３０のダウンライト用光源３２を消灯（ＯＦＦ）状態とするための切替要求を送信する。
【０１０２】
次に、無影照明灯用照明切替手段５０Ａの制御部５４Ａは、切替要求受付手段４０の切替要求送信部４４から送信された切替要求を受信部５２Ａにより受信し、当該受信された切替要求に基づいて、無影照明灯１０の第１光源１９及びアンビエントライト用光源１７Ａを消灯（ＯＦＦ）状態とさせる（Ｓ３Ｂ）。また、室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第３光源２６を点灯（ＯＮ）状態とすると共に、第２光源２５及び第４光源２７を消灯（ＯＦＦ）状態とさせる（Ｓ４Ｂ）。さらに、ダウンライト用照明切替手段５０Ｃの制御部５４Ｃは、切替要求受付手段４０の切替要求送信部４４から送信された切替要求を受信部５２Ｃにより受信し、当該受信された切替要求に基づいて、ダウンライト３０のダウンライト用光源３２を消灯（ＯＦＦ）状態とさせる（Ｓ５Ｂ）。
【０１０３】
以上の切替制御により、施術室には、室内照明装置２０の第３光源２６による光、すなわち、２０００Ｋ〜３５００Ｋの範囲に属する色温度の光のみが供給される。このように、医療用照明システムによって施術室内を穏やかな暖色系の色温度の光空間とすることにより、施術前における被施術者（患者）の不安を和らげ、心的ストレスを軽減させることができ、また、オペ後の被施術者（患者）に安心感を与えることができる。
【０１０４】
［通常手術モード  一括切替ボタン２０８が押下された場合］
切替要求受付手段４０の制御部４６は、押下されたボタンが「通常手術モード  一括切替」ボタン２０８であると検知した場合には、まず、切替要求送信部４４から無影照明灯用照明切替手段５０Ａに対し、無影照明灯１０の第１光源１９を点灯（ＯＮ）状態とし、アンビエントライト用光源１７Ａを消灯（ＯＦＦ）状態とするための切替要求を送信する。また、制御部４６は、切替要求送信部４４から室内照明装置用照明切替手段５０Ｂに対し、室内照明装置２０の第２光源２５を点灯（ＯＮ）状態とし、第３光源２６及び第４光源２７を消灯（ＯＦＦ）状態とするための切替要求を送信する。さらに、制御部４６は、切替要求送信部４４からダウンライト用照明切替手段５０Ｃに対し、ダウンライト３０のダウンライト用光源３２を消灯（ＯＦＦ）状態とするための切替要求を送信する。
【０１０５】
次に、無影照明灯用照明切替手段５０Ａの制御部５４Ａは、切替要求受付手段４０の切替要求送信部４４から送信された切替要求を受信部５２Ａにより受信し、当該受信された切替要求に基づいて、無影照明灯１０の第１光源１９を点灯（ＯＮ）状態とすると共に、アンビエントライト用光源１７Ａを消灯（ＯＦＦ）状態とさせる（Ｓ３Ｃ）。また、室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第２光源２５を点灯（ＯＮ）状態とすると共に、第３光源２６及び第４光源２７を消灯（ＯＦＦ）状態とさせる（Ｓ４Ｃ）。さらに、ダウンライト用照明切替手段５０Ｃの制御部５４Ｃは、切替要求受付手段４０の切替要求送信部４４から送信された切替要求を受信部５２Ｃにより受信し、当該受信された切替要求に基づいて、ダウンライト３０のダウンライト用光源３２を消灯（ＯＦＦ）状態とさせる（Ｓ５Ｃ）。
【０１０６】
以上の切替制御により、施術部位には、無影照明灯１０の光が供給され、施術室全体には、室内照明装置２０の第２光源２５により、無影照明灯１０の光と概ね同程度の色温度からなる光が供給される。このように、医療用照明システムによって、施術部位を照らす無影照明灯１０の光の色温度と、施術室全体を照らす室内照明装置２０の光の色温度との差が無い若しくは極めて小さい光空間、すなわち、視認性に優れた空間照明を作出することにより、施術者及びその助手等の医療従事者の目の負担を軽減させることができ、オペ効率（パフォーマンス）を向上させることができる。
【０１０７】
［内視鏡手術モード  一括切替ボタン２１０が押下された場合］
切替要求受付手段４０の制御部４６は、押下されたボタンが「内視鏡手術モード  一括切替」ボタン２１０であると検知した場合には、まず、切替要求送信部４４から無影照明灯用照明切替手段５０Ａに対し、無影照明灯１０のアンビエントライト用光源１７Ａを点灯（ＯＮ）状態とし、第１光源１９を消灯（ＯＦＦ）状態とするための切替要求を送信する。また、制御部４６は、切替要求送信部４４から室内照明装置用照明切替手段５０Ｂに対し、室内照明装置２０の第２光源２５を低照度の点灯（ＯＮ）状態とし、第３光源２６及び第４光源２７を消灯（ＯＦＦ）状態とするための切替要求を送信する。さらに、制御部４６は、切替要求送信部４４からダウンライト用照明切替手段５０Ｃに対し、ダウンライト３０のダウンライト用光源３２を点灯（ＯＮ）状態とするための切替要求を送信する。
【０１０８】
次に、無影照明灯用照明切替手段５０Ａの制御部５４Ａは、切替要求受付手段４０の切替要求送信部４４から送信された切替要求を受信部５２Ａにより受信し、当該受信された切替要求に基づいて、無影照明灯１０のアンビエントライト用光源１７Ａを点灯（ＯＮ）状態とすると共に、第１光源１９を消灯（ＯＦＦ）状態とさせる（Ｓ３Ｄ）。また、室内照明装置用照明切替手段５０Ｂの制御部５４Ｂは、切替要求受付手段４０の切替要求送信部４４から送信された切替要求を受信部５２Ｂにより受信し、当該受信された切替要求に基づいて、室内照明装置２０の第２光源２５を低照度の点灯（ＯＮ）状態とすると共に、第３光源２６及び第４光源２７を消灯（ＯＦＦ）状態とさせる（Ｓ４Ｄ）。さらに、ダウンライト用照明切替手段５０Ｃの制御部５４Ｃは、切替要求受付手段４０の切替要求送信部４４から送信された切替要求を受信部５２Ｃにより受信し、当該受信された切替要求に基づいて、ダウンライト３０のダウンライト用光源３２を点灯（ＯＮ）状態とさせる（Ｓ５Ｄ）。
【０１０９】
以上の切替制御により、施術室には、室内照明装置２０の第２光源２５による薄暗い光と、アンビエントライト用光源１７Ａによる僅かな光と、モニター８を中心とした局所的な領域のみを照らすダウンライト３０の青色若しくは緑色又は施術者が希望する任意色の光が供給される。このように、医療用照明システムによって、内視鏡手術に適した照明空間、すなわち、施術室全体が薄暗く、かつ、モニター８を中心とした局所的な領域のみが明るい光空間を作出することができる。特に、ダウンライト３０の照明が青色若しくは緑色又は施術者が希望する任意色の光であるため、施術者及びその助手等の医療従事者の視認性を向上させることができ、目に対する負担の軽減及びオペ効率（パフォーマンス）の向上を図ることができる。
【０１１０】
［各種「ＯＮ／ＯＦＦ」ボタン２１２〜２１８が押下された場合］
切替要求受付手段４０の制御部４６は、押下されたボタンが「無影照明灯ＯＮ／ＯＦＦ」ボタン２１２、「アンビエントライトＯＮ／ＯＦＦ」ボタン２１３、「室内照明装置第２光源ＯＮ／ＯＦＦ」ボタン２１４、「室内照明装置第３光源ＯＮ／ＯＦＦ」ボタン２１５、「室内照明装置第４光源ＯＮ／ＯＦＦ」ボタン２１６及び「ダウンライトＯＮ／ＯＦＦ」ボタン２１８のいずれかであると検知した場合には、切替要求送信部４４から対応する照明切替手段５０Ａ〜５０Ｃに対し、押下されたボタンの種別に対応する光源の点灯状態と消灯状態とを切り替えるための切替要求を送信する。そして、対応する照明切替手段５０Ａ〜５０Ｃの制御部５４Ａ〜５４Ｃは、切替要求受付手段４０の切替要求送信部４４から送信された切替要求を受信部５２Ａ〜５２Ｃにより受信し、当該受信された切替要求に基づいて、対応する光源の点灯状態と消灯状態とを切り替える。また、切替要求受付手段４０の制御部４６は、無影照明灯１０の照度や光野径を調整するための図示しないボタン、室内照明装置２０の照度を調整するための図示しないボタン、あるいはダウンライト３０の照度を調整するための図示しないボタンが押下された場合には、対応する照明切替手段５０Ａ〜５０Ｃの制御部５４Ａ〜５４Ｃに対して各切替要求（調整要求）を送信し、対応する照明切替手段５０Ａ〜５０Ｃは、当該切替要求に基づいて、対応する照明装置（無影照明灯１０、室内照明装置２０及びダウンライト３０）の照度や光野径を切り替える（調整する）。
【０１１１】
以上のような第３実施形態に係る医療用照明システムによれば、第１及び第２実施形態に係る医療用照明システムと同様に、施術室が施術者（医療従事者）及び被施術者（患者）の双方にとって最適な光空間となるように、オペシーン毎に、各オペシーンに応じた最適な照明を施術室に供給することが可能となる。特に、第３実施形態に係る医療用照明システムによれば、タッチパネル４２に表示された各種一括切替ボタンをワンタッチするだけで、各オペシーンに応じた最適な照明を施術室に供給することができるため、複雑な操作を行う必要がなく、作業効率を向上させることができると共に、操作者における操作ミスを抑制することができる。
【０１１２】
［その他の代替例］
上述した第２及び第３実施形態の他に、例えば、以下の代替例を採用することができる。なお、これら代替例は例示であり、以下の態様に限定されるものではない。
【０１１３】
例えば、第１〜第３実施形態に係る医療用照明システムは、無影照明灯、室内照明装置、ダウンライト、切替要求受付手段及び各種照明切替手段を備えるものとして説明したが、これに限定されず、少なくとも、第１の色温度を有する光を照射可能に構成された無影照明灯と、この第１の色温度を基準として＋１０００Ｋ〜−１０００Ｋの範囲に属する第２の色温度を有する光を照射可能に構成された室内照明装置とを備えるものであれば、いかなる構成を備えるものであっても良い。
【０１１４】
第１〜第３実施形態に係る医療用照明システムにおいて、図１及び図２では、１つの無影照明灯１０と１つのモニターアームとが取付軸を共通させて設けられている態様を例示したが、これに限定されず、例えば、２以上の無影照明灯１０が同一の取付軸又は異なる取付軸に設けられる態様や、２以上のモニターアームが同一の取付軸又は異なる取付軸に設けられる態様、カメラが取り付けられたカメラアーム等が更に設けられる態様など、種々の態様を採用することができる。また、無影照明灯、モニター及びカメラ等の各装置は、種々のものを用いることができる。
【０１１５】
第１〜第３実施形態に係る医療用照明システムでは、施術室の壁に埋設されたタッチパネルにより、操作者の操作を受け付けるものとして説明したが、これに限定されず、例えばタブレット等の携帯端末により操作者の操作を受け付ける態様であっても良い。
【０１１６】
第１〜第３実施形態に係る医療用照明システムにおいて、無影照明灯の各照明部は、他の照明部と同期して一律に制御されるものとして説明したが、これに限定されず、それぞれ個別に制御されても良い。また、各室内照明装置及び各ダウンライトも同様に、それぞれ、他の室内照明装置及び他のダウンライトと同期して一律に制御されるものとして説明したが、これに限定されず、それぞれ個別に制御されても良い。
【０１１７】
第１〜第３実施形態に係る医療用照明システム及び照明方法は、タッチパネルに表示された各ボタンが押下された際に、押下されたボタンに対応する切替制御を実行するものとして説明したが、これに限定されず、例えば、人感センサ等の検知手段により所定の動作が検知された際や、予め定められたタイムスケジュールに従って、医療用照明システムによる照明が自動的に切り替えられるとしても良い。また、無影照明灯の光の色温度を検知可能なセンサ等の検知手段を設け、この検知手段により検知された色温度に基づいて室内照明装置の光の色温度を調整するフィードバック制御が行われるとしても良い。
【０１１８】
第１〜第３実施形態に係る医療用照明システムにおいて、無影照明灯は、第１光源及びアンビエントライト用光源のみを備えるものとして説明したが、これに限定されず、色温度が異なる複数種類の光源を設け、点灯させる光源を適宜切り替える態様や、異なる色温度の光を発光可能な複数種類の光源の光を重ね合わせて調光する態様など、異なる色温度の光を切り替えて照射可能な構成を備えるものであっても良い。また、無影照明灯は、６つの照明部と、３つのアンビエントライトと、六角形状のハウジングと、多関節アームを備えるものであるとして説明したが、これに限定されず、例えばアンビエントライトがないタイプの無影照明灯など、種々のものを用いることができる。
【０１１９】
第１及び第３実施形態に係る医療用照明システムでは、異なる色温度の光を照射可能な３種類の光源（第２光源、第３光源及び第４光源）を選択的に切り替えて発光させることにより、第２〜第４の色温度の光を選択的に切り替えて照射するものとして説明し、第２実施形態に係る医療用照明システムでは、異なる色温度の光を照射可能な２種類の光源の照射出力割合（調光率）を変えて混色させることにより、第２〜第４の色温度を作出（調光）するものとして説明したが、これらに限定されるものではなく、例えば、これら第２〜第４の色温度は、色温度を変化させるための１又は複数のカラーフィルタ等を用いて変更される態様や、複数の発光素子を設けた１つのＬＥＤ内において変更する態様等の種々の方法により作出するとしても良い。また、異なる色温度の光を照射可能な２種類の光源からの光を混色させて色温度を変更させる方法としては、例えば特開平１０−２０６９４２号公報、再表２００３−０１９０７２号公報及び特開２００８−３０５７５９号公報等に記載された公知の方法を採用することもできる。
【０１２０】
第１及び第３実施形態に係る医療用照明システムでは、色温度及び照度を調整可能なものとして説明したが、これに限定されず、例えば色温度及び照度に加えてカラー（色）の調整が可能な構成としても良い。すなわち、本発明に係る医療用照明システムは、キセノンランプ、水銀灯、有機ＥＬ、ＬＥＤ、ハロゲン、白熱球及び蛍光灯等の種々の照明光源を用いて、手術シーンに合わせた色温度、カラー（色）及び照度の調整が行える照明システムとすることができる。
【０１２１】
第１〜第３実施形態に係る医療用照明システムにおいて、室内照明装置は、施術台及びクリーンエア空調部が位置する空間領域を取り囲むように１０個配置されるものとして説明したが、これに限定されず、室内照明装置の設置数及び設置位置は、任意の数及び任意の配置とすることができる。
【０１２２】
第１〜第３実施形態に係る医療用照明システムにおいて、ダウンライトは、施術室の一の壁面に沿って３つ並べて配置されるものとして説明したが、これに限定されず、ダウンライトの設置数及び設置位置は、任意の数及び位置とすることができ、例えば全ての壁面に沿って設けられるとしても良い。また、各ダウンライトは、青色若しくは緑色又は施術者が希望する任意色の光を発光可能なダウンライト用光源を備えるものとして説明したが、これに限定されず、複数色の中から１色を選択的に切り替えて照射可能なフルカラータイプのダウンライトを用いても良い。この場合、タッチパネル等の表示手段に表示される表示画面には、「ダウンライトＯＮ／ＯＦＦ」ボタンの他、カラー変更ボタンが設けられると共に、ダウンライト用照明切替手段の制御部は、ダウンライト用光源の点灯状態及び消灯状態の切替制御の他、照射する光の色を変更する照射光切替制御も実行可能に構成される。
【０１２３】
第１〜第３実施形態に係る医療用照明システム及び照明方法では、無影照明灯を用いた施術室（手術室）における手術を例に挙げて説明したが、これに限定されず、第１〜第３実施形態に係る医療用照明システム及び照明方法は、医療用処置照明灯等の医療用照明灯を用いた手術室、処置室、診察室、分娩室等の施術室における施術に適用することができる。
【符号の説明】
【０１２４】
１  医療用照明システム、１０  無影照明灯（医療用照明灯）、２０  室内照明装置、３０  ダウンライト、４０  切替要求受付手段、５０Ａ〜５０Ｃ  照明切替手段
【図１】
2014220169.tif 000003
【図２】
2014220169.tif 000004
【図３】
2014220169.tif 000005
【図４】
2014220169.tif 000006
【図５】
2014220169.tif 000007
【図６】
2014220169.tif 000008
【図７】
2014220169.tif 000009
【図８】
2014220169.tif 000010
【図９】
2014220169.tif 000011
【図１０】
2014220169.tif 000012
【図１１】
2014220169.tif 000013